(57)【要約】【課題】パネルと本体との隙間から液体が浸入した場合であっても、パネルや本体に内蔵されている基板の破損の可能性を低くできる装置を提供する。【解決手段】当該装置は、開口８６を有するパネル７０と、パネル７０の内部空間に設けられたパネル制御基板７２と、パネル７０を回動可能に保持する筐体１４と、筐体１４の内部空間に設けられた装置制御基板７１と、開口８６と装置制御基板７１との間における筐体１４の内部空間に配置された仕切り壁８３と、開口８６に挿通され且つ仕切り壁８３の上端よりも上側を通って両基板７１、７２を接続するケーブル８７と、開口８６と仕切り壁８３との間における筐体１４の内部空間に配置されており、開口８６と仕切り壁８３との間におけるケーブル８７の下端が開口８６または仕切り壁８３の上端の少なくとも一方よりも下側となるように、ケーブル８７を保持する保持部８４と、を備える。【選択図】図８
2014107517.tif 000002
【特許請求の範囲】
【請求項１】
内部空間及び当該内部空間へ通じる開口を有するパネルと、
上記パネルの内部空間に設けられており、装置の動作情報の表示または装置の動作指示の入力の少なくとも一方を制御するパネル制御基板と、
上記パネルを回動可能に保持する本体と、
上記本体の内部空間に設けられており、装置の動作を制御する装置制御基板と、
上記開口と上記装置制御基板との間における上記本体の内部空間に配置された仕切り壁と、
一端が上記パネル制御基板に接続され、他端が上記装置制御基板に接続され、上記開口に挿通され、且つ上記開口よりも他端側にて上記仕切り壁の上端よりも上側を通ったケーブルと、
上記開口と上記仕切り壁との間における上記本体の内部空間に配置されており、上記開口と上記仕切り壁との間における上記ケーブルの下端が上記開口または上記仕切り壁の上端の少なくとも一方よりも下側となるように、上記ケーブルを保持する保持部と、を備える電子装置。
【請求項２】
上記保持部の下方に設けられており、液体を装置の外部へ排出する排出部を備える請求項１に記載の電子装置。
【請求項３】
上記パネルは、上記開口から上記装置制御基板へ向けて延出された上記ケーブルの上側を覆っており、上記ケーブルの延出方向と直交する方向において端部側が下方となるように傾斜した傾斜部を備える請求項１または２に記載の電子装置。
【請求項４】
上記ケーブルは、上記パネルの回動軸と同軸を通るように配線されている請求項１から３のいずれかに記載の電子装置。
【請求項５】
上記保持部は、上記本体に設けられ下向きに延出された壁状部材であり、
上記保持部の延出先端部は、上記壁状部材の第１面と当該第１面の裏側の第２面との間を連結する湾曲形状である請求項１から４のいずれかに記載の電子装置。
【請求項６】
上記保持部には、上下方向に沿って延設された少なくとも一つのリブが形成されている請求項５に記載の電子装置。
【請求項７】
上記本体は、上記パネルを回動可能に支持する支持部と、上記支持部が取り付けられており、内部空間に上記装置制御基板が配置された筐体部と、を備え、
上記保持部は、上記支持部に設けられている請求項５または６に記載の電子装置。
【請求項８】
上記仕切り壁は、上記本体に設けられ上向きに延出されており、
上記仕切り壁の延出先端部は、上記仕切り壁の第３面と当該第３面の裏側の第４面との間を連結する湾曲形状である請求項１から６のいずれかに記載の電子装置。
【請求項９】
上記本体は、上記パネルを回動可能に支持する支持部と、上記支持部が取り付けられており、当該支持部と共に上記パネルを支持し、内部空間に上記装置制御基板が配置された筐体部と、を備え、
上記保持部は、上記支持部に設けられており、
上記仕切り壁は、上記筐体部に設けられている請求項８に記載の電子装置。
【請求項１０】
上記ケーブルは、上記仕切り壁及び上記保持部によって挟み込まれた状態で配線されている請求項１から９のいずれかに記載の電子装置。
【発明の詳細な説明】
【技術分野】
【０００１】
本発明は、装置制御基板が内蔵された本体と、本体に回動可能に保持されており、ケーブルを介して装置制御基板に接続されたパネル制御基板が内蔵されたパネルと、を備える電子装置に関する。
【背景技術】
【０００２】
従来より、プリンタ、スキャナ、コピー機、ファクシミリ機等の電子装置には、動作情報の表示や動作指示の入力などに使用されるパネルが備えられている。パネルは、電子装置の上面側から操作される場合と、電子装置の正面側から操作される場合とが想定される。そのため、多くの電子装置において、パネルは、電子装置の本体に回動可能に保持されている。
【０００３】
電子装置の本体には、電子装置全体の動作を制御するための装置制御基板が内蔵されている。一方、電子装置のパネルには、動作情報の表示や動作指示の入力を制御するためのパネル制御基板が内蔵されている。そして、装置制御基板とパネル制御基板とは、相互に接続されている。この際、パネルの本体に対する回動によって当該接続が切断されないように、装置制御基板とパネル制御基板とは、フレキシブルフラットケーブル（ＦＦＣ）などの可撓性を有するケーブルによって接続されている。このような電子装置の一例としての電子機器が、特許文献１に開示されている。
【先行技術文献】
【特許文献】
【０００４】
【特許文献１】特開２００７−１２５８３７号公報
【発明の概要】
【発明が解決しようとする課題】
【０００５】
上述したように、パネルは本体に対して回動可能に保持されている。そのため、電子装置において、パネルと本体との間には、隙間が生じている。そして、当該隙間から液体が浸入すると、液体は、ケーブルを伝ってパネル制御基板や装置制御基板に到達してしまう。その結果、パネル制御基板や装置制御基板が液体によるショートによって破損してしまうおそれがあった。
【０００６】
本発明は、前述された事情に鑑みてなされたものであり、その目的とするところは、パネルと本体との隙間から液体が浸入した場合であっても、パネルに内蔵されているパネル制御基板や本体に内蔵されている装置制御基板の破損の可能性を低くすることができる電子装置を提供することである。
【課題を解決するための手段】
【０００７】
(1)  本発明に係る電子装置は、内部空間及び当該内部空間へ通じる開口を有するパネルと、上記パネルの内部空間に設けられており、装置の動作情報の表示または装置の動作指示の入力の少なくとも一方を制御するパネル制御基板と、上記パネルを回動可能に保持する本体と、上記本体の内部空間に設けられており、装置の動作を制御する装置制御基板と、上記開口と上記装置制御基板との間における上記本体の内部空間に配置された仕切り壁と、一端が上記パネル制御基板に接続され、他端が上記装置制御基板に接続され、上記開口に挿通され、且つ上記開口よりも他端側にて上記仕切り壁の上端よりも上側を通ったケーブルと、上記開口と上記仕切り壁との間における上記本体の内部空間に配置されており、上記開口と上記仕切り壁との間における上記ケーブルの下端が上記開口または上記仕切り壁の上端の少なくとも一方よりも下側となるように、上記ケーブルを保持する保持部と、を備える。
【０００８】
本構成によれば、開口と仕切り壁との間において、ケーブルは、開口または仕切り壁の上端の少なくとも一方よりも下方に配置されている。また、パネル制御基板から延出されたケーブルは、開口及び仕切り壁の上側を経て、装置制御基板へ至る。
【０００９】
そのため、本構成によれば、開口と仕切り壁との間におけるケーブルの下端が開口よりも下方に配置されている場合、開口と仕切り壁との間に液体が浸入しても、液体がケーブルに沿ってパネル制御基板に到達するために上向きに流れなければならないため、パネル制御基板に液体が接触する可能性を低くすることができる。また、開口と仕切り壁との間におけるケーブルの下端が仕切り壁の上端よりも下方に配置されている場合、開口と仕切り壁との間に液体が浸入しても、液体がケーブルに沿って装置制御基板に到達するために上向きに流れなければならないため、装置制御基板に液体が接触する可能性を低くすることができる。
【００１０】
(2)  本発明に係る電子装置は、上記保持部の下方に設けられており、液体を装置の外部へ排出する排出部を備える。本構成によれば、内部空間へ流れ込んだ液体が当該内部空間に貯留されてしまうことを防止できる。
【００１１】
(3)  上記パネルは、上記開口から上記装置制御基板へ向けて延出された上記ケーブルの上側を覆っており、上記ケーブルの延出方向と直交する方向において端部側が下方となるように傾斜した傾斜部を備える。
【００１２】
本構成によれば、傾斜部がケーブルの上側を覆っているため、液体がパネルの上側から降ってきた場合に、当該液体がケーブルに付着する可能性を低くすることができる。また、傾斜部は端部側が下方となるように傾斜しているため、液体がパネルの上側から降ってきた場合に、当該液体をケーブルを避けつつ下側へ流すことができる。
【００１３】
(4)  上記ケーブルは、上記パネルの回動軸と同軸を通るように配線されている。
【００１４】
パネルが回動されるとき、パネルの回動軸と同軸の位置の移動量は、当該同軸の線から離れた位置の移動量よりも小さい。本構成においては、ケーブルは、パネルの回動時の移動量が小さい回動軸と同軸を通るように配線されている。よって、本構成によれば、パネルが回動されたときに、ケーブルが大きく動いてしまう可能性を低くすることができる。
【００１５】
(5)  上記保持部は、上記本体に設けられ下向きに延出された壁状部材である。上記保持部の延出先端部は、上記壁状部材の第１面と当該第１面の裏側の第２面との間を連結する湾曲形状である。
【００１６】
本構成によれば、保持部の延出先端部が湾曲形状であるため、ケーブルが保持部の延出先端部と当接した際にケーブルが痛む可能性を低くすることができる。
【００１７】
(6)  上記保持部には、上下方向に沿って延設された少なくとも一つのリブが形成されている。本構成によれば、保持部と本体との一体成形を容易に実行することができる。
【００１８】
(7)  上記本体は、上記パネルを回動可能に支持する支持部と、上記支持部が取り付けられており、内部空間に上記装置制御基板が配置された筐体部と、を備える。上記保持部は、上記支持部に設けられている。
【００１９】
本構成によれば、支持部と筐体部とを別個に製造することができるため、本体が全体として複雑な形状であっても、本体を製造し易くすることができる。
【００２０】
(8)  上記仕切り壁は、上記本体に設けられ上向きに延出されている。上記仕切り壁の延出先端部は、上記仕切り壁の第３面と当該第３面の裏側の第４面との間を連結する湾曲形状である。
【００２１】
本構成によれば、仕切り壁の延出先端部が湾曲形状であるため、ケーブルが仕切り壁の延出先端部と当接した際にケーブルが痛む可能性を低くすることができる。
【００２２】
(9)  上記本体は、上記パネルを回動可能に支持する支持部と、上記支持部が取り付けられており、当該支持部と共に上記パネルを支持し、内部空間に上記装置制御基板が配置された筐体部と、を備える。上記保持部は、上記支持部に設けられている。上記仕切り壁は、上記筐体部に設けられている。
【００２３】
本構成によれば、支持部と筐体部とを別個に製造することができるため、本体が全体として複雑な形状であっても、本体を製造し易くすることができる。
【００２４】
(10)  上記ケーブルは、上記仕切り壁及び上記保持部によって挟み込まれた状態で配線されている。
【００２５】
本構成によれば、ケーブルは、仕切り壁と保持部とによって挟み込まれた位置において固定されている。そのため、パネルが回動した場合であっても、ケーブルは、当該位置において、仕切り壁や保持部に対して摺接せず摩擦が発生しない。これにより、当該摩擦によってケーブルが破損してしまう可能性を低くすることができる。
【発明の効果】
【００２６】
本発明によれば、開口と仕切り壁との間に液体が浸入しても、液体はパネル制御基板や装置制御基板に到達するために上向きに流れなければならないため、パネル制御基板や装置制御基板に液体が接触する可能性を低くすることができる。よって、パネルと本体との隙間から液体が浸入した場合であっても、パネルに内蔵されているパネル制御基板や本体に内蔵されている装置制御基板の破損の可能性を低くすることができる。
【図面の簡単な説明】
【００２７】
【図１】図１は、画像記録装置１０の斜視図であり、（Ａ）には、パネル７０が筐体１４の前面に概ね沿った状態が示されており、（Ｂ）には、パネル７０が（Ａ）の状態から傾斜した状態が示されている。
【図２】図２（Ａ）には、パネル７０を後方から見た斜視図が示されており、図２（Ｂ）には、パネル７０の背面図が示されている。
【図３】図３は、ケーブル８７が開口８６に挿通された状態のパネル７０を示す図であり、（Ａ）には、パネル７０を後方から見た斜視図が示されており、（Ｂ）には、パネル７０の背面図が示されている。
【図４】図４は、第１筐体７３に配置された装置制御基板７１及びその周辺部を示す斜視図である。
【図５】図５は、第２筐体７４及び第３筐体７５の斜視図である。
【図６】図６は、第２筐体７４及び第３筐体７５の正面図である。
【図７】図７は、第２筐体７４を下方から見た斜視図である。
【図８】図８は、パネル７０と当該パネル７０の配置位置周辺の筐体１４とを示す縦断面図である。
【図９】図９は、第３筐体７５の平面図である。
【発明を実施するための形態】
【００２８】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１（Ａ）の状態）を基準として上下方向７が定義され、開口１３が設けられている側を手前側（正面）として前後方向８が定義され、複合機１０を手前側（正面）から見て左右方向９が定義される。また、以下の各部材の説明では、当該各部材が複合機１０に組み付けられた状態で、上下方向７と前後方向８と左右方向９とが定義されるものとする。
【００２９】
［複合機１０の全体構成］
図１に示されるように、複合機１０（本発明の電子装置の一例）は、概ね直方体に形成されており、正面に開口１３が形成された後述する筐体１４（本発明の本体の一例）と、後述するパネル７０と、を備えている。
【００３０】
筐体１４の内部には、開口１３から前後方向８に挿抜可能であって内部に記録用紙が収容される給紙トレイ２０と、給紙トレイ２０に収容された記録用紙を搬送路（不図示）に沿って搬送させる複数のローラ対（不図示）と、搬送路を搬送される記録用紙に画像を記録する記録部（不図示）などが配置されている。なお、記録部は、インクジェット記録方式や、電子写真方式などの公知の方法によって記録用紙に画像を記録する。
【００３１】
画像が記録された記録用紙は、給紙トレイ２０の上側に設けられた排紙トレイ２１に排出され、排紙トレイ２１に載置される。なお、排紙トレイ２１は、給紙トレイ２０の上側に給紙トレイ２０と重ねられて設けられており、給紙トレイ２０と一体に開口１３に挿抜される。
【００３２】
［筐体１４］
図１に示されるように、本実施形態において、筐体１４は、第１筐体７３と、第２筐体７４と、第３筐体７５（図５参照）とを備えている。第１筐体７３及び第３筐体７５は、本発明の筐体部の一例である。第２筐体７４は、本発明の支持部の一例である。
【００３３】
第１筐体７３は、筐体１４の大部分を占める本体部分であって、概ね直方体に形成されており、正面に上述した開口１３が形成されている。第１筐体７３は、内部空間を有しており、当該内部空間に、上述したローラ対や記録部、及び後述する装置制御基板７１が配置されている。
【００３４】
第２筐体７４は、第１筐体７３の前側且つ上側に取り付けられている。詳細には、第２筐体７４は、図５〜図７に示される第２筐体７４に形成された接続部６９が第１筐体７３に形成された突起（不図示）と嵌合されてネジ止めされることによって、第１筐体７３に取り付けられている。
【００３５】
図５に示されるように、第２筐体７４は、後側が概ね前後方向８及び左右方向９に延びており、前後方向８の中央部において下方に傾斜している。これにより、第２筐体７４の前側は、第２筐体の後側よりも下側に位置している。
【００３６】
第２筐体７４の前後方向８の中央部における下方に傾斜している部分には、開口７６が形成されている。開口７６は、左右方向９の中央部に形成されている。開口７６を構成する左側面７７及び右側面７８には、上側縁部７９が形成されている。
【００３７】
第３筐体７５は、第２筐体７４の開口７６に嵌め込まれる。つまり、第３筐体７５は、第２筐体７４に取り付けられている。詳述すると、第２筐体７４の開口７６の上側の縁の近傍に形成された突起６７（図７参照）が、第３筐体７５の上側に形成されている孔６８（図５及び図６参照）と嵌合されることによって、第３筐体７５は第２筐体７４の開口７６に嵌め込まれる。
【００３８】
第３筐体７５は、下側縁部５９を備える。下側縁部５９は、第３筐体７５が第２筐体７４に取り付けられた状態において、上側縁部７９と嵌りこみ合う位置に設けられる。上側縁部７９と下側縁部５９との嵌りこみ合いによって形成される開口に、後述するパネル７０の軸８０（図２参照）が挿通される。これにより、パネル７０は回動する。つまり、第２筐体７４と第３筐体７５とは、後述するパネル７０を回動可能に支持する。 
【００３９】
以上より、図５に示される第２筐体７４の開口７６における上側には、図２に示されるパネル７０の後面８１から突出された凸部８２が配置され、図５に示される第２筐体７４の開口７６における下側には、図５に示される第３筐体７５が嵌め込まれる。つまり、図８に示されるように、第２筐体７４の開口７６にパネル７０が配置され且つ第３筐体７５が嵌め込まれた状態において、パネル７０の凸部８２が第３筐体７５の上側に位置する。
【００４０】
図４及び図８に示されるように、装置制御基板７１は、第１筐体７３の内部空間における前部、上部、且つ左部に、つまり第２筐体７４及び第３筐体７５の配置位置の近くに配置されている。詳細には、装置制御基板７１は、その前端部が第２筐体７４及び第３筐体７５の下方となるように配置されている。
【００４１】
図４では示されていないが、装置制御基板７１には、種々の電子部品などが実装されている。装置制御基板７１は、上述したローラ対や記録部を駆動するモータや、搬送路に配置された記録用紙を検知するためのセンサや、記録部や、後述するパネル制御基板７２などと接続されている。装置制御基板７１は、複合機１０の動作を制御する。具体的には、装置制御基板７１は、ローラ対を構成するローラを駆動させて給紙トレイ２０に収容された記録用紙を搬送させて、記録部を制御して当該記録用紙に画像を記録させる。
【００４２】
なお、第３筐体７５には、後述する仕切り壁８３が設けられており、第２筐体７４には、後述する保持部８４が設けられている。
【００４３】
［パネル７０］
図１に示されるように、パネル７０は、複合機１０の前部且つ上部に取り付けられている。図２に示されるように、パネル７０は、概ね平板形状の部材であり、前面にタッチパネルユニット８５（図１参照）や操作キー１７などが配列されている。また、パネル７０の後面８１の中央部には、凸部８２が形成されている。
【００４４】
パネル７０の軸８０が、凸部８２の右端及び左端からそれぞれ右向き及び左向きに延出されている。上述したように、パネル７０は、軸８０が上側縁部７９（図５参照）と下側縁部５９（図５参照）とによって形成される開口に挿通されることによって、第２筐体７４に取り付けられる。これにより、パネル７０は、第２筐体７４によって軸８０を中心として回動可能に支持される。なお、パネル７０及び第２筐体７４には、公知のチルト機構（不図示）などが設けられている。これにより、パネル７０は、第２筐体７４によって予め設定された回動位置に保持される。
【００４５】
本実施形態において、パネル７０は、その前面が筐体１４の前面に概ね沿った位置（図１（Ａ）参照）と、その下端が上端よりも前側に位置するように筐体１４の前面に対して傾斜した位置（図１（Ｂ）参照）との間で回動される。
【００４６】
パネル７０は、内部空間を有している。図８に示されるように、当該内部空間には、パネル制御基板７２が配置されている。図８には示されていないが、パネル制御基板７２には、装置制御基板７１と同様に、種々の電子部品などが実装されている。パネル制御基板７２は、上述したタッチパネルユニット８５、操作キー１７、及び装置制御基板７１と接続されている。なお、パネル制御基板７２と装置制御基板７１とは、後述するケーブル８７（図４参照）によって接続されている。
【００４７】
ユーザがタッチパネルユニット８５や操作キー１７を押圧もしくは接触することによって、複合機１０に対する動作指示が、タッチパネルユニット８５や操作キー１７からパネル制御基板７２に伝えられる。そして、パネル制御基板７２は、当該動作指示を装置制御基板７１に出力する。装置制御基板７１は、当該動作指示に基づいて複合機１０を制御する。つまり、パネル制御基板７２は、複合機１０の動作指示の入力を制御する。
【００４８】
また、パネル制御基板７２は、装置制御基板７１から動作情報をタッチパネルユニット８５に表示させる旨の命令を受け取ると、当該命令をタッチパネルユニット８５に出力する。タッチパネルユニット８５には、当該命令に基づく動作情報が表示される。つまり、パネル制御基板７２は、複合機１０の動作情報の表示を制御する。
【００４９】
なお、本実施形態では、パネル制御基板７２は、複合機１０の動作指示の入力と複合機１０の動作情報の表示との双方を制御するが、パネル制御基板７２は、当該入力と当該表示とのいずれかを制御するものであってもよい。つまり、パネル制御基板７２は、当該入力と当該表示との少なくとも一方を制御するものである。
【００５０】
図２に示されるように、凸部８２の後側には、開口８６が形成されている。開口８６は、左右方向９における凸部８２の左側に形成されている。つまり、開口８６は、左右方向９において、装置制御基板７１と近い位置に形成されている。開口８６は、パネル７０の内部空間へ通じている。また、パネル７０が複合機１０に取り付けられた状態において、開口８６は第１筐体７３側を向いている。つまり、パネル７０の内部空間と筐体１４の内部空間とは、開口８６によって連通されている。
【００５１】
凸部８２の後面から、上板８８（本発明の傾斜部の一例）、側板８９、及び下板９０が突出されている。開口８６は、上板８８の後側端縁と、側板８９の後側端縁と、下板９０の後側端縁と、によって形成されている。ここで、図３に示されるように、パネル制御基板７２と装置制御基板７１とを接続する後述されるケーブル８７は、開口８６を介してパネル７０の内部空間から筐体１４の内部空間へ向けて、つまり装置制御基板７１へ向けて延出されている。つまり、ケーブル８７は、開口８６において前後方向８に沿って延出されている。よって、上板８８は、ケーブル８７の上側を覆っている。また、下板９０は、ケーブル８７を下方から支持している。
【００５２】
また、上板８８は、左右方向９（開口８６におけるケーブル８７の延出方向である前後方向８と直交する方向）の中央部が端部よりも上側となっている。つまり、上板８８は、左右方向９の中央部から右側である程に下側へ傾斜しており、且つ左右方向９の中央部から左側である程に下側へ傾斜している。
【００５３】
［仕切り壁８３］
図５及び図６に示されるように、第３筐体７５には、仕切り壁８３が形成されている。仕切り壁８３は、第３筐体７５を構成する底部９１の後端部から上向きに立設された壁部６１で構成される。
【００５４】
図８に示されるように、第３筐体７５及びパネル７０が第２筐体７４に取り付けられ、第２筐体７４が第１筐体７３に取り付けられた状態において、仕切り壁８３の壁部６１は、上方を第２筐体７４で覆われている。仕切り壁８３の壁部６１は、前後方向８、左右方向９、及び上下方向７において筐体１４に囲まれており、前後方向８、左右方向９、及び上下方向７において、筐体１４が形成する空間から突出していない。すなわち、仕切り壁８３は、筐体１４の内部空間に位置する。また、当該状態において、仕切り壁８３の壁部６１は、パネル７０に形成された開口８６の概ね下方に位置する。また、当該状態において、仕切り壁８３の壁部６１は、第１筐体７３に配置された装置制御基板７１の前端部の概ね上方に位置する。つまり、仕切り壁８３は、開口８６と装置制御基板７１との間における筐体１４の内部空間に配置されている。また、第３筐体７５は、装置制御基板７１の前側部分の上方を覆うよう配置された底部９１を有する。底部９１は、装置制御基板７１の前側部分の上方から、装置制御基板７１の前方までにわたって配置されている。
【００５５】
壁部６１は、前後方向８の長さが上下方向７及び左右方向９の長さよりも短い板状の壁である。そして、図８に示されるように、壁部６１の最上部、つまり延出先端部５７は、上に凸の湾曲形状である。つまり、壁部６１の前面９２（本発明の第３面の一例）と当該前面９２の裏面である壁部６１の後面９３（本発明の第４面の一例）とは、湾曲状に連結されている。
【００５６】
［保持部８４］
図５〜図７に示されるように、第２筐体７４には、保持部８４が形成されている。保持部８４は、第２筐体７４の上部板６０の裏面から下向きに延出された壁状の部材である。詳細には、保持部８４は、第２筐体７４の開口７６の上側の縁の近傍に形成されている。
【００５７】
図８に示されるように、第３筐体７５及びパネル７０が第２筐体７４に取り付けられ、第２筐体７４が第１筐体７３に取り付けられた状態において、保持部８４は、第２筐体７４の上部板６０で上方が覆われている。保持部８４は、前後方向８、左右方向９、及び上下方向７において筐体１４に囲まれており、前後方向８、左右方向９、及び上下方向７において、筐体１４が形成する空間から突出していない。すなわち、筐体１４の内部空間に位置している。また、当該状態において、保持部８４は、パネル７０に形成された開口８６の後方に位置する。また、当該状態において、保持部８４は、第３筐体７５に形成された仕切り壁８３の壁部６１の前方に位置し、第３筐体７５の底部９１の上方に位置する。つまり、保持部８４は、開口８６と仕切り壁８３との間における筐体１４の内部空間に配置されている。また、当該状態において、保持部８４の延出先端部５８は、開口８６の下端縁を形成する下板９０よりも下方に位置しており、且つ仕切り壁８３の上端、つまり壁部６１の延出先端部５７の上端よりも下方に位置している。
【００５８】
保持部８４は、前後方向８の長さが上下方向７及び左右方向９の長さよりも短い板状の壁である。そして、図８に示されるように、保持部８４の最下部、つまり延出先端部５８は、下に凸の湾曲形状である。つまり、保持部８４の前面９４（本発明の第１面の一例）と当該前面９４の裏面である保持部８４の後面９５（本発明の第２面の一例）とは、湾曲状に連結されている。
【００５９】
図５〜図７に示されるように、保持部８４の前面９４には、リブ９６が形成されている。リブ９６は、上下方向７に沿って延設されている。本実施形態において、リブ９６は５個設けられている。各リブ９６は、左右方向９において一定の間隔を空けて設けられている。なお、リブ９６の数は５個に限らない。つまり、本実施形態において、リブ９６は保持部８４に少なくとも１つ形成されている。もちろん、保持部８４には、必ずしもリブ９６が形成されている必要はない。
【００６０】
［ケーブル８７による装置制御基板７１とパネル制御基板７２との接続］
本実施形態において、ケーブル８７は、フレキシブルフラットケーブルである。なお、ケーブル８７は、複合機１０の内部を湾曲させつつ配線可能なものであるならば、フレキシブルフラットケーブルに限らない。
【００６１】
図８に示されるように、ケーブル８７の一端は、パネル制御基板７２に実装されたコネクタ９７に接続されている。また、ケーブル８７の他端は、装置制御基板７１に実装されたコネクタ９８に接続されている。つまり、ケーブル８７は、一端がパネル制御基板７２に接続され、他端が装置制御基板７１に接続されている。
【００６２】
パネル制御基板７２のコネクタ９７から概ね後向きに延出されたケーブル８７は、パネル７０の後面８１から突出された凸部８２の内部空間を通る。ケーブル８７は、凸部８２の内部空間において、パネル７０の回動軸を通るように配線されている。ここで、パネル７０の回動軸とは、パネル７０の凸部８２の右端及び左端から延出された２つの軸８０を結ぶ仮想線のことである。なお、本実施形態において、ケーブル８７は、パネル７０の回動軸を通るように、凸部８２の内部空間において、止め部材９９によって固定されている。なお、本実施形態においては、止め部材９９は、ケーブル８７のノイズを除去するためのコアである。止め部材９９はパネル７０内のリブと当接した状態で不図示のフックにより、ケーブル８７が回動軸を通るように位置決めされている。
【００６３】
図３及び図８に示されるように、ケーブル８７の回動軸上から概ね後向きに延出されたケーブル８７は、開口８６を挿通されている。
【００６４】
図８に示されるように、ケーブル８７は、開口８６と保持部８４との間において下側に湾曲されている。これにより、開口８６の近傍において概ね後向きに延出されていたケーブル８７の延出向きが、概ね下向きの延出向きに変化される。
【００６５】
開口８６の後側近傍において湾曲されたケーブル８７は、上下方向７において、保持部８４の前面９４に沿って保持部８４の延出先端部５８よりも下側まで延出されてから、上側に湾曲される。具体的には、ケーブル８７は、保持部８４の延出先端部５８に沿うように湾曲される。
【００６６】
本実施形態では、ケーブル８７は、保持部８４の延出先端部５８と当接しつつ、保持部８４の延出先端部５８に沿うように湾曲されている。上述したように、第３筐体７５及びパネル７０が第２筐体７４に取り付けられ、第２筐体７４が第１筐体７３に取り付けられた状態において、保持部８４の延出先端部５８は、開口８６の下端縁を形成する下板９０よりも下方に位置しており、且つ仕切り壁８３の上端、つまり壁部６１の延出先端部５７の上端よりも下方に位置している。つまり、保持部８４は、パネル７０の開口８６と仕切り壁８３との間におけるケーブル８７の下端が開口８６の下端及び壁部６１の延出先端部５７よりも下側となるように、ケーブル８７を保持している。
【００６７】
なお、本実施形態では、第３筐体７５及びパネル７０が第２筐体７４に取り付けられ、第２筐体７４が第１筐体７３に取り付けられた状態において、保持部８４の延出先端部５８の下端は、開口８６の下端縁を形成する下板９０よりも下方に位置しており、且つ仕切り壁８３の上端（壁部６１の延出先端部５７の上端）よりも下方に位置しているが、保持部８４の延出先端部５８は、開口８６または壁部６１の延出先端部５７の一方よりも下方に位置していてもよい。そして、この場合、保持部８４は、パネル７０の開口８６と仕切り壁８３との間におけるケーブル８７の下端が開口８６または壁部６１の延出先端部５７の一方よりも下側となるように、ケーブル８７を保持している。
【００６８】
つまり、保持部８４は、開口８６または壁部６１の延出先端部５７の少なくとも一方よりも下側となるように、ケーブル８７を保持する。
【００６９】
また、本実施形態において、ケーブル８７は、保持部８４の延出先端部５８と当接しつつ、保持部８４の延出先端部５８に沿うように湾曲されているが、ケーブル８７は、保持部８４の延出先端部５８と当接することなく、保持部８４の延出先端部５８に沿うように湾曲されていてもよい。この場合、後述するように、ケーブル８７が、仕切り壁６１の壁部６１及び保持部８４によって挟み込まれた状態で配線されていれば、ケーブル８７は、保持部８４の延出先端部５８から離間されていても、保持部８４及び壁部６１によって保持部８４の延出先端部５８から離間された位置に保持されることが可能である。
【００７０】
保持部８４の延出先端部５８に沿うように湾曲されたケーブル８７は、上下方向７において、保持部８４の後面９５及び壁部６１の前面９２の間を、後面９５及び前面９２に沿って壁部６１の延出先端部５７よりも上側まで延出されてから、下側に湾曲される。具体的には、ケーブル８７は、壁部６１の延出先端部５７に沿うように湾曲される。
【００７１】
本実施形態では、ケーブル８７は、壁部６１の延出先端部５７から離間した状態で、湾曲形状である壁部６１の延出先端部５７に沿うように湾曲されている。つまり、ケーブル８７は、パネル７０の開口８６よりも当該ケーブル８７の他端側（装置制御基板７１に接続されている側）にて壁部６１の延出先端部５７よりも上側を通る。この場合、後述するように、ケーブル８７が、仕切り壁８３の壁部６１及び保持部８４によって挟み込まれた状態で配線されていれば、ケーブル８７は、壁部６１の延出先端部５７から離間されていても、保持部８４及び壁部６１によって壁部６１の延出先端部５７から離間された位置に保持されることが可能である。
【００７２】
なお、本実施形態において、ケーブル８７は、壁部６１の延出先端部５７から離間した状態で、湾曲形状である壁部６１の延出先端部５７に沿うように湾曲されているが、ケーブル８７は、壁部６１の延出先端部５７と当接しつつ湾曲されていてもよい。
【００７３】
本実施形態において、ケーブル８７は、保持部８４の後面９５及び仕切り壁８３の前面９２によって挟み込まれた状態で配線されている。これにより、ケーブル８７は、上述したように、保持部８４の延出先端部５８や壁部６１の延出先端部５７から離間されて配線された状態であっても、保持部８４及び仕切り壁８３によって当該状態に保持されることが可能である。
【００７４】
湾曲形状である壁部６１の延出先端部５７に沿うように湾曲されたケーブル８７は、上下方向７において、仕切り壁８３の後面９３の後方を下向きに装置制御基板７１のコネクタ９８まで配線される。
【００７５】
［排出部６６］
図９に示されるように、第３筐体７５には、パネル７０と第２筐体７４との隙間６２（図８参照）から筐体１４の内部空間へ流れ込んだ液体を複合機１０の外部へ排出する排出部６６が形成されている。
【００７６】
排出部６６は、第３筐体７５を構成するものであり且つ仕切り壁８３の一部である底部９１のうち、壁部６１の前面９２と左右方向９において同位置の底面６５と、当該底面６５と連続しており当該底面６５の右側から前側に向かって延設された細溝部６４Ａと、細溝部６４Ａの前側端から右側に向かって延設された細溝部６４Ｂと、当該細溝部６４Ｂと連続しており、下方に開口した排出口６３とで構成されている。なお、底面６５Ａと細溝部６４Ｂとは、水平であり、細溝部６４Ａは、前側に向かうほど下方となるよう傾斜している。
【００７７】
これにより、隙間６２（図８参照）から筐体１４の内部空間へ流れ込んだ液体は、底面６５に落下する。そして、底面６５に落下した液体は、細溝部６４Ａ及び細溝部６４Ｂに沿って排出口６３に導かれる。排出口６３に到達した液体は、排出口６３を通って、複合機１０の外部に排出される。
【００７８】
［実施形態の効果］
本実施形態によれば、開口８６と仕切り壁８３との間において、ケーブル８７は、開口８６または仕切り壁８３の上端（壁部６１の延出先端部５７）の少なくとも一方よりも下方に配置されている。また、パネル制御基板７２から延出されたケーブル８７は、開口８６及び壁部６１の延出先端部５７の上側を経て、装置制御基板７１へ至る。
【００７９】
そのため、本実施形態によれば、開口８６と仕切り壁８３との間におけるケーブル８７の下端が開口８６よりも下方に配置されている場合、開口８６と仕切り壁８３との間に液体が浸入しても、液体がケーブル８７に沿ってパネル制御基板７２に到達するために上向きに流れなければならないため、パネル制御基板７２に液体が接触する可能性を低くすることができる。また、開口８６と仕切り壁８３との間におけるケーブル８７の下端が壁部６１の延出先端部５７よりも下方に配置されている場合、開口８６と仕切り壁８３との間に液体が浸入しても、液体がケーブル８７に沿って装置制御基板７１に到達するために上向きに流れなければならないため、装置制御基板７１に液体が接触する可能性を低くすることができる。よって、パネル７０と筐体１４との隙間から液体が浸入した場合であっても、パネル７０に内蔵されているパネル制御基板７２や筐体１４に内蔵されている装置制御基板７１の破損の可能性を低くすることができる。
【００８０】
また、本実施形態によれば、排出部６６を備えているため、筐体１４の内部空間へ流れ込んだ液体が当該内部空間に貯留されてしまうことを防止できる。
【００８１】
また、本実施形態によれば、上板８８がケーブル８７の上側を覆っているため、液体がパネル７０の上側から降ってきた場合に、当該液体がケーブル８７に付着する可能性を低くすることができる。また、上板８８は端部側が下方となるように傾斜しているため、液体がパネル７０の上側から降ってきた場合に、当該液体をケーブル７０を避けつつ下側へ流すことができる。
【００８２】
また、パネル７０が回動されるとき、パネル７０の回動軸と同軸の位置の移動量は、当該同軸の線から離れた位置の移動量よりも小さい。本実施形態においては、ケーブル８７は、パネル７０の回動時の移動量が小さい回動軸と同軸を通るように配線されている。よって、本実施形態によれば、パネル７０が回動されたときに、ケーブル８７が大きく動いてしまう可能性を低くすることができる。
【００８３】
また、本実施形態によれば、保持部８４の延出先端部５８が湾曲形状であるため、ケーブル８７が保持部８４の延出先端部５８と当接した際にケーブル８７が痛む可能性を低くすることができる。
【００８４】
また、本実施形態によれば、保持部８４にリブ９６が形成されているため、保持部８４と第２筐体７４との一体成形を容易に実行することができる。
【００８５】
また、本実施形態によれば、仕切り壁８３における壁部６１の延出先端部５７が湾曲形状であるため、ケーブル８７が壁部６１の延出先端部５７と当接した際にケーブル８７が痛む可能性を低くすることができる。
【００８６】
また、本実施形態によれば、筐体１４を構成する第１筐体７３、第２筐体７４、及び第３筐体７５をそれぞれ別個に製造することができるため、筐体１４が全体として複雑な形状であっても、筐体１４を製造し易くすることができる。
【００８７】
また、本実施形態によれば、ケーブル８７は、仕切り壁８３の壁部６１と保持部８４とによって挟み込まれた位置において固定されている。そのため、パネル７０が回動した場合であっても、ケーブル８７は、当該位置において、壁部６１や保持部８４に対して摺接せず摩擦が発生しない。これにより、当該摩擦によってケーブル８７が断線してしまう可能性を低くすることができる。
【００８８】
［変形例１］
上述の実施形態では、筐体１４は、第１筐体７３と、第２筐体７４と、第３筐体７５とを備え、これら３つの筐体７３、７４、７５が組み合わされることで筐体１４が構成されていた。しかし、筐体１４は、２つ以下の筐体の組み合わせや４つ以上の筐体の組み合わせによって構成されていてもよい。
【００８９】
例えば、筐体１４は、１つの部材として、つまり第１筐体７３と第２筐体７４と第３筐体７５とが一体として構成されていてもよい。この場合、筐体１４が、本発明の支持部の一例であるとともに筐体部の一例でもある。
【００９０】
また、別の例として、筐体１４は、第１筐体７３と、第２筐体７４及び第３筐体７５が一体に構成された筐体とを備えていてもよい。この場合、仕切り壁８３及び保持部８４は、第２筐体７４及び第３筐体７５が一体に構成された筐体に設けられている。また、この場合、第１筐体７３が本発明の筐体部の一例であり、第２筐体７４及び第３筐体７５が一体に構成された筐体が本発明の支持部の一例である。また、この場合、筐体１４は、パネル７０を回動可能に支持する筐体（第２筐体７４及び第３筐体７５が一体に構成された筐体）と、内部空間に装置制御基板７１が配置された第１筐体７３と、を備え、保持部８４は、パネル７０を回動可能に支持する筐体に設けられている。
【００９１】
変形例１によれば、上述の実施形態と同様に、筐体１４を複数の筐体に分けて別個に製造することができるため、筐体１４が全体として複雑な形状であっても、筐体１４を製造し易くすることができる。
【００９２】
［変形例２］
上述の実施形態においては、保持部８４は、第２筐体７４の上部板６０の裏面から下向きに延出された壁状の部材であった。しかし、保持部８４は、パネル７０の開口８６と仕切り壁８３との間におけるケーブル８７の下端が開口８６または仕切り壁８３の壁部６１の延出先端部５７の少なくとも一方よりも下側となるように、ケーブル８７を保持するものであるならば、壁状の部材に限らない。
【００９３】
例えば、保持部８４は、開口８６または壁部６１の延出先端部５７の少なくとも一方よりも下方において、左右方向９に延設された棒状の部材であってもよい。この場合、ケーブル８７は、当該棒状の部材の下側を通るように配線される。また、ケーブル８７は、当該棒状の部材に当接されてもよいし、当接されなくてもよい。ケーブル８７は、当該棒状の部材に当接されない場合、別部材によって配線された位置に保持されることが好ましい。
【００９４】
また、例えば、保持部８４は、開口８６または壁部６１の延出先端部５７の少なくとも一方よりも下方に配置されており、ケーブル８７を上下から挟むことによってケーブル８７を引っ掛けることができる引っ掛け部材であってもよい。
【符号の説明】
【００９５】
１０・・・複合機
１４・・・筐体
７０・・・パネル
７１・・・装置制御基板
７２・・・パネル制御基板
８３・・・仕切り壁
８４・・・保持部
８６・・・開口
８７・・・ケーブル
【図１】
2014107517.tif 000003
【図２】
2014107517.tif 000004
【図３】
2014107517.tif 000005
【図４】
2014107517.tif 000006
【図５】
2014107517.tif 000007
【図６】
2014107517.tif 000008
【図７】
2014107517.tif 000009
【図８】
2014107517.tif 000010
【図９】
2014107517.tif 000011